(57)【要約】【課題】不使用時にノズルと容器本体との間で流路を閉塞可能な構成としても、使用に際して当該流路が開放されたときに容器本体内の内溶液が内圧によってノズルから外部に漏れ出すことのない泡噴出容器を提供することである。【解決手段】内容液の流通口２６ａを備えた装着キャップ２０にノズルヘッド３０をねじ結合により装着し、開閉蓋部３９が流通口２６ａを閉塞する閉位置と開閉蓋部３９が流通口２６ａの上方に離れて流通口２６ａを開放する開位置との間で回動可能とする。ノズルヘッド３０に固定される区画部材５０と装着キャップ２０との間に戻し流路６０を区画形成するとともに区画部材５０に逆止弁６１を固定し、逆止弁６１のシール膜部６１ｂの外周縁を、ノズルヘッド３０が開位置のときに装着キャップ２０の内面２４ａに当接させ、ノズルヘッド３０が閉位置のときに内面２４ａから離れるようにする。【選択図】図１
2015209263.tif 000002
【特許請求の範囲】
【請求項１】
可撓性を有する胴部を備え、内部が内容液の収容空間となる容器本体と、
内容液の流通口を備え、前記容器本体の口部に装着される装着キャップと、
前記流通口に連なるノズルと開閉蓋部とを備え、前記装着キャップにねじ結合により装着されて前記開閉蓋部が前記流通口を閉塞する閉位置と前記開閉蓋部が前記流通口の上方に離れて該流通口を開放する開位置との間で回動可能なノズルヘッドと、
上端において前記ノズルヘッドに固定され、前記流通口に連なる混合室を内部に有するとともに該混合室を前記収容空間に連ねる空気導入孔および液導入孔を底部に備える区画部材と、
前記装着キャップと前記区画部材との間に区画形成され、前記流通口を前記収容空間に連ねる戻し流路と、
前記区画部材の外周面に固定される円筒状の保持部と、該保持部の外周面から径方向外側に延びる環状且つ膜状に形成され、前記ノズルヘッドが開位置のときに外周縁において前記装着キャップの内面に当接し、前記ノズルヘッドが閉位置とされると該内面から離れるシール膜部とを備える逆止弁と、を有することを特徴とする泡噴出容器。
【請求項２】
前記ノズルヘッドが開位置のときに、前記シール膜部の外周縁が前記装着キャップの下向き段差面に当接する請求項１に記載の泡噴出容器。
【請求項３】
前記装着キャップに前記流通口と同軸に設けられるストッパ用筒部と、前記ストッパ用筒部の外周面に周方向に所定の間隔を空けて設けられる一対のストッパ片からなるストッパ対と、前記ノズルヘッドに設けられて一対の前記ストッパ片の間の移動範囲に配置される凸片とを有し、
一対の前記ストッパ片の前記移動範囲とは反対側を向く外面が、それぞれ該移動範囲から離れるに連れて縮径する湾曲面に形成されている請求項１または２に記載の泡噴出容器。
【請求項４】
前記ストッパ用筒部の外周面に、一対の前記ストッパ対が互いに周方向に１８０度ずれて設けられ、前記ノズルヘッドに、一対の前記ストッパ対に対応した一対の前記凸片が互いに周方向に１８０度ずれて設けられている請求項３に記載の泡噴出容器。
【請求項５】
前記装着キャップのノズル装着筒部の外周面に、それぞれ周方向に１８０度の角度範囲で延びる一対の二条ねじ部が互いに周方向に１８０度ずれて設けられ、前記ノズルヘッドに、それぞれ前記二条ねじ部にねじ結合する一対の係合突起からなる一対の突起対が互いに周方向に１８０度ずれて設けられている請求項４に記載の泡噴出容器。
【発明の詳細な説明】
【技術分野】
【０００１】
本発明は、容器本体の胴部を圧搾（スクイズ）することにより、容器本体内に収容された内容液を空気と混合してノズルから泡状に噴出させる泡噴出容器に関する。
【背景技術】
【０００２】
シャンプー、ボディソープ、ハンドソープ、洗顔料等の各種液体洗浄剤や整髪剤等の内容液を収容する容器としては、泡立て動作を省略して簡便な利用を図る観点から、容器本体に収容した内容液を空気と混合してノズルから泡状に噴出させるようにした泡噴出容器が多く用いられている。
【０００３】
このような泡噴出容器では、内容液の吐出流路に内容液を空気と混合させる混合室を設けるとともに、混合室の下流に例えばメッシュ等からなる発泡部材を組み入れておき、容器本体の胴部を圧搾することで、内容液を空気と混合させつつ発泡部材を通過させて泡状に発泡させ、ノズルから噴出させるようにしている。
【０００４】
一方、上記のような泡噴出容器として、使用後にノズルの内部に残留した泡状の内容液が時間の経過と共に液化してノズルの先端から垂れ落ちることを防止するために、所謂サックバック機能を持たせるようにしたものが知られている。
【０００５】
例えば特許文献１には、ノズルと容器本体との間に吐出流路とは別に、ノズルと容器本体とを連通する戻し流路を設け、この戻し流路に容器本体内からノズルへ向けた内容液の流れを規制するとともにノズルから容器本体内へ向けた内容液の流れを許容する逆止弁を設けて、圧搾が解除されたときに容器本体内に生じる負圧によりノズルに残留した内容液を戻し流路を通して容器本体内に引き戻すようにした泡噴出容器が記載されている。
【先行技術文献】
【特許文献】
【０００６】
【特許文献１】特開２０１４−４６９３８号公報
【発明の概要】
【発明が解決しようとする課題】
【０００７】
上記従来の泡噴出容器では、不使用時等において容器が横向きや倒立姿勢にされると、吐出流路や戻し流路を通して容器本体内の内溶液がノズルから漏れ出すおそれがある。そこで、容器が横向きや倒立姿勢にされても内容液がノズルから漏れ出すことを防止するために、ノズルヘッドの回動操作によって不使用時にノズルと容器本体との間の流路を閉塞可能な構成とすることが考えられる。
【０００８】
しかしながら、このような構成では、ノズルと容器本体との間の流路が閉塞された状態において、温度上昇等の何らかの要因によって容器本体内の内圧が上昇すると、当該内圧により戻し流路は逆止弁により閉塞されることから、使用に際してノズルヘッドを回動操作してノズルと容器本体との間の流路を開放したときに、内圧によって容器本体内の内溶液が吐出流路に圧送され、ノズルの先端から外部に漏れ出るおそれがあった。
【０００９】
本発明は、このような点を解決することを課題とするものであり、その目的は、不使用時にノズルと容器本体との間で流路を閉塞可能な構成としても、使用に際して当該流路が開放されたときに容器本体内の内溶液が内圧によってノズルから外部に漏れ出すことのない泡噴出容器を提供することにある。
【課題を解決するための手段】
【００１０】
本発明の泡噴出容器は、可撓性を有する胴部を備え、内部が内容液の収容空間となる容器本体と、内容液の流通口を備え、前記容器本体の口部に装着される装着キャップと、前記流通口に連なるノズルと開閉蓋部とを備え、前記装着キャップにねじ結合により装着されて前記開閉蓋部が前記流通口を閉塞する閉位置と前記開閉蓋部が前記流通口の上方に離れて該流通口を開放する開位置との間で回動可能なノズルヘッドと、上端において前記ノズルヘッドに固定され、前記流通口に連なる混合室を内部に有するとともに該混合室を前記収容空間に連ねる空気導入孔および液導入孔を底部に備える区画部材と、前記装着キャップと前記区画部材との間に区画形成され、前記流通口を前記収容空間に連ねる戻し流路と、前記区画部材の外周面に固定される円筒状の保持部と、該保持部の外周面から径方向外側に延びる環状且つ膜状に形成され、前記ノズルヘッドが開位置のときに外周縁において前記装着キャップの内面に当接し、前記ノズルヘッドが閉位置とされると該内面から離れるシール膜部とを備える逆止弁と、を有することを特徴とする。
【００１１】
本発明は、上記構成において、前記ノズルヘッドが開位置のときに、前記シール膜部の外周縁が前記装着キャップの下向き段差面に当接するのが好ましい。
【００１２】
本発明は、上記構成において、前記装着キャップに前記流通口と同軸に設けられるストッパ用筒部と、前記ストッパ用筒部の外周面に周方向に所定の間隔を空けて設けられる一対のストッパ片からなるストッパ対と、前記ノズルヘッドに設けられて一対の前記ストッパ片の間の移動範囲に配置される凸片とを有し、一対の前記ストッパ片の前記移動範囲とは反対側を向く外面が、それぞれ該移動範囲から離れるに連れて縮径する湾曲面に形成されているのが好ましい。
【００１３】
本発明は、上記構成において、前記ストッパ用筒部の外周面に、一対の前記ストッパ対が互いに周方向に１８０度ずれて設けられ、前記ノズルヘッドに、一対の前記ストッパ対に対応した一対の前記凸片が互いに周方向に１８０度ずれて設けられているのが好ましい。
【００１４】
本発明は、上記構成において、前記装着キャップのノズル装着筒部の外周面に、それぞれ周方向に１８０度の角度範囲で延びる一対の二条ねじ部が互いに周方向に１８０度ずれて設けられ、前記ノズルヘッドに、それぞれ前記二条ねじ部にねじ結合する一対の係合突起からなる一対の突起対が互いに周方向に１８０度ずれて設けられているのが好ましい。
【発明の効果】
【００１５】
本発明によれば、ノズルヘッドが閉位置となると、逆止弁のシール膜部の外周縁が装着キャップの内面から離れて容器本体の収容空間が流通口と連通するようにしたので、容器本体内の内圧上昇状態においてノズルヘッドが閉位置から開位置に向けて回動操作されたときに、容器本体内の内圧を戻し流路から外部に逃がすことができる。したがって、不使用時にノズルと容器本体との間で流路を閉塞可能な構成としても、使用に際して当該流路が開放されたときに容器本体内の内溶液が内圧によってノズルから外部に漏れ出すことを防止することができる。
【図面の簡単な説明】
【００１６】
【図１】本発明の一実施の形態である泡噴出容器の、ノズルヘッドが開位置とされた状態における断面図である。
【図２】図１におけるＡ−Ａ線に沿う断面図である。
【図３】図１に示す装着キャップの側面図である。
【図４】（ａ）は、図１に示す泡噴出容器の、ノズルヘッドが閉位置とされた状態における断面図であり、（ｂ）は同図（ａ）におけるＢ−Ｂ線に沿う断面図である。
【図５】（ａ）は、図１に示す泡噴出容器の、ノズルヘッドが開位置と閉位置との中間位置とされた状態における断面図であり、（ｂ）は同図（ａ）の状態におけるストッパ機構の状態を示す横断面図である。
【発明を実施するための形態】
【００１７】
以下、図面を参照して本発明をより詳細に例示説明する。
【００１８】
図１に示す本発明の一実施の形態である泡噴出容器１は、スクイズフォーマーとも呼ばれるものであり、シャンプー、ボディソープ、ハンドソープ、洗顔料等の各種液体洗浄剤や整髪剤等の内容液を収容するとともに、当該内容液を泡状に噴出させるものである。
【００１９】
図１、図２に示すように、この泡噴出容器１は容器本体１０を備えている。容器本体１０は上部を開口させた円筒状の口部１１とこの口部１１に連なる楕円筒状の胴部１２とを備え、その内部は内容液を収容する収容空間Ｓとなっている。この容器本体１０は合成樹脂製となっており、その胴部１２は可撓性を有し、胴部１２を圧搾（スクイズ）することにより収容空間Ｓを減容させ、容器本体１０内を加圧することができるようになっている。
【００２０】
図１に示すように、容器本体１０の口部１１には装着キャップ２０が装着されている。例えば樹脂製とされるこの装着キャップ２０は、容器本体１０の口部１１を取り囲む円筒状の外周壁２１を有し、この外周壁２１の内周面に設けられた雌ねじ部２１ａが口部１１の外周面に設けられた雄ねじ部１１ａにねじ結合することにより、容器本体１０の口部１１にねじ込み固定されている。外周壁２１の内側にはフランジ部２２を介してシール筒部２３が同軸且つ一体に設けられ、このシール筒部２３が口部１１の内側に嵌め込まれることで、装着キャップ２０と口部１１との嵌合部分がシールされて当該部分からの液漏れが防止されるようになっている。
【００２１】
口部１１の根元には小突起１１ｂと大突起１１ｃとが周方向に間隔を空けて設けられ、外周壁２１の下端部には、これらの突起１１ｂ、１１ｃに対応した回り止めリブ２１ｂが設けられている。装着キャップ２０が口部１１にねじ込まれると、そのねじ込み終了直前に回り止めリブ２１ｂが小突起１１ｂを乗り越えて小突起１１ｂと大突起１１ｃとの間に配置され、これにより装着キャップ２０は口部１１に対して回り止め保持される。
【００２２】
図示する場合では、装着キャップ２０を容器本体１０の口部１１にねじ結合により固定するようにしているが、装着キャップ２０を容器本体１０の口部１１にアンダーカットで固定させる構成とすることもできる。
【００２３】
シール筒部２３はフランジ部２２に対して上方側にまで延びており、その上端部には径方向内側に向けて延びる段差部２４が一体に設けられている。この段差部２４の図中下方側を向く内面は、平坦且つ環状に形成された下向き段差面２４ａとなっている。
【００２４】
段差部２４の内周縁には、当該内周縁から図中上方に向けて延びるストッパ用筒部２５が一体に設けられている。ストッパ用筒部２５は円筒状に形成され、外周壁２１と同軸に配置されている。
【００２５】
ストッパ用筒部２５の内側には流通筒部２６が一体に設けられている。流通筒部２６はストッパ用筒部２５と同軸の円筒状に形成され、フランジ状に拡径した下端部においてストッパ用筒部２５の内周面に連結されている。流通筒部２６の内側は内容液の流通口２６ａとなっており、この流通口２６ａは容器本体１０の口部１１つまり収容空間Ｓに連通している。したがって、容器本体１０の収容空間Ｓ内の内容液や空気は、この流通口２６ａを通って装着キャップ２０の外部に向けて流出することができ、また、外部の空気や後述するノズル３６内に残った内容液は、この流通口２６ａを通って装着キャップ２０の外部から収容空間Ｓ内に向けて流入することができる。
【００２６】
装着キャップ２０のフランジ部２２の上面にはノズル装着筒部２７が一体に設けられている。このノズル装着筒部２７は、外周壁２１と同軸且つ外周壁２１よりも小径の円筒状に形成され、フランジ部２２の上面から上方に突出している。
【００２７】
装着キャップ２０にはノズルヘッド３０が装着されている。例えば樹脂製とされるノズルヘッド３０は、装着キャップ２０の外周壁２１と同等の外径を有する円筒状のカバー部３１と、カバー部３１に連なるドーム状の頂壁３２とを備えたキャップ状に形成されている。
【００２８】
このノズルヘッド３０は、カバー部３１の内周面において装着キャップ２０のノズル装着筒部２７にねじ結合して、装着キャップ２０に回動自在に装着されている。より具体的に説明すると、装着キャップ２０のノズル装着筒部２７の外周面には、互いに周方向に１８０度ずれて一対の二条ねじ部２８が設けられ、ノズルヘッド３０のカバー部３１の内周面には互いに周方向に１８０度ずれて一対の突起対３３が設けられており、これらの突起対３３はそれぞれ対応する二条ねじ部２８にねじ結合している。図３に示すように、一対の二条ねじ部２８は、それぞれノズル装着筒部２７の外周面に沿って周方向に１８０度の角度範囲で延びる上側ねじ山２８ａと下側ねじ山２８ｂとを備えており、上側ねじ山２８ａのねじ込み側の先端部から約９０度の範囲の部分は周方向に沿って水平に延びる形状に形成されて下側ねじ山２８ｂのねじ込み側の先端部に接続されている。一方、図１に示すように、カバー部３１の内周面に設けられる突起対３３は、それぞれ上下方向に所定の間隔を空けて並ぶ一対の係合突起３３ａ、３３ｂを備え、各突起対３３の上側の係合突起３３ａはそれぞれ対応する二条ねじ部２８の上側ねじ山２８ａに上側から係合し、各突起対３３の下側の係合突起３３ｂはそれぞれ対応する二条ねじ部２８の下側ねじ山２８ｂに下側から係合するようになっている。
【００２９】
このような構成により、ノズルヘッド３０は装着キャップ２０にねじ結合により装着されて装着キャップ２０に対して回動自在となっているが、その回動範囲はストッパ機構により９０度の角度範囲に規制されている。ストッパ機構は、例えば以下の構成とすることができる。
【００３０】
図２に示すように、装着キャップ２０のストッパ用筒部２５の外周面には、一対のストッパ対２９が互いに周方向に１８０度ずれて設けられている。これらのストッパ対２９は、それぞれ周方向に約９０度の間隔を空けて配置される一対のストッパ片２９ａを備えている。一方、ノズルヘッド３０のカバー部３１の内側には円筒状の凸片用筒部３４が一体に設けられており、この凸片用筒部３４の内周面には、一対のストッパ対２９に対応する一対の凸片３５が一体に設けられている。これらの凸片３５は互いに周方向に１８０度ずれて設けられ、それぞれ凸片用筒部３４の内周面から径方向内側に向けて突出して対応するストッパ対２９の一対のストッパ片２９ａの間の移動範囲Ｒに配置されている。
【００３１】
ノズルヘッド３０が装着キャップ２０に対して回動すると各凸片３５が移動範囲Ｒ内を周方向に沿って移動し、ノズルヘッド３０が装着キャップ２０に対して最も締め込まれた閉位置になると各凸片３５が対応するストッパ対２９の一方のストッパ片２９ａに当接してそれ以上の回転が規制される。反対に、ノズルヘッド３０が閉位置から緩み方向に９０度回転して開位置に達すると、各凸片３５がそれぞれ対応するストッパ対２９のもう一方のストッパ片２９ａに当接してノズルヘッド３０のそれ以上の回転が規制される。
【００３２】
このような構成により、ノズルヘッド３０は、容器本体１０の口部１１の軸心を中心として、装着キャップ２０に対して図２に示す開位置と図４に示す閉位置との間の９０度の角度範囲で回動自在となっている。なお、ノズルヘッド３０は装着キャップ２０にねじ結合により装着されているので、閉位置と開位置との間で回動すると装着キャップ２０に対して上下に移動することになる。
【００３３】
各ストッパ片２９ａの移動範囲とは反対側を向く外面は、それぞれ移動範囲から離れるに連れて縮径する湾曲面２９ｂに形成されている。したがって、各凸片３５を、各ストッパ片２９ａの間の移動範囲Ｒではなく、各ストッパ片２９ａの湾曲面２９ｂと湾曲面２９ｂとの間の範囲に配置し、この状態で各突起対３３を対応する二条ねじ部２８にねじ結合させてノズルヘッド３０を締め込み方向に回転させることで、各凸片３５をストッパ片２９ａの湾曲面２９ｂに沿って移動させて当該ストッパ片２９ａを乗り越えさせ、対応するストッパ対２９の移動範囲Ｒに配置することができる。このとき、装着キャップ２０のノズル装着筒部２７の外周面に設けられるねじ部を、互いに周方向に１８０度ずれて配置される一対の二条ねじ部２８で構成するようにしたので、上側の係合突起３３ａが上側ねじ山２８ａの水平な先端部分に当接する位置にまでノズルヘッド３０を装着キャップ２０に対して下方に落とし込むことで、各凸片３５をストッパ片２９ａに係合可能な位置としてからノズルヘッド３０を回動させることができる。
【００３４】
ノズルヘッド３０にはノズル３６が一体に設けられている。ノズル３６は、楕円筒状に形成されてノズルヘッド３０の内部に設けられた隔壁３７の上側からカバー部３１に対して側方やや上方に向けて突出している。隔壁３７には一対の流出入孔３８が設けられ、ノズル３６はこれらの流出入孔３８を介して装着キャップ２０の流通口２６ａに連通している。なお、図示する場合では、隔壁３７に一対の流出入孔３８が設けられるが、その個数や形状は種々変更することができる。
【００３５】
また、ノズルヘッド３０の隔壁３７の下面には円筒状の開閉蓋部３９が一体に設けられている。開閉蓋部３９は流通筒部２６の内径に対応した外径を有する円筒状に形成され、ノズルヘッド３０が閉位置とされると流通筒部２６の内側に嵌合して流通口２６ａを閉塞し、ノズルヘッド３０が開位置とされると流通口２６ａに対して上方に離れて流通口２６ａを開放する。つまり、ノズルヘッド３０は、開閉蓋部３９が流通口２６ａを閉塞する閉位置と、開閉蓋部３９が流通口２６ａの上方に離れて該流通口２６ａを開放する開位置との間で回動可能となっている。
【００３６】
なお、符号４０は、ストッパ用筒部２５の内周面に嵌合して、流通口２６ａとノズル３６との間の流路を閉塞するシール筒部である。
【００３７】
ノズルヘッド３０の隔壁３７の開閉蓋部３９の内側部分には、開閉蓋部３９と同軸に接続筒部４１が一体に設けられ、この接続筒部４１の下方には区画部材５０が固定されている。図示する場合では、区画部材５０は樹脂製とされるとともに上下２分割構造の円筒状に形成され、その上端において接続筒部４１に嵌合固定されている。これにより、区画部材は、ノズルヘッド３０が開位置と閉位置との間で回動すると、ノズルヘッド３０とともに回動するとともにノズルヘッド３０とともに装着キャップ２０に対して上下に移動する。
【００３８】
区画部材５０の下端には孔形成部５１が嵌合固定され、孔形成部５１が固定されることにより区画部材５０の内部には混合室５２が区画形成されている。また、孔形成部５１は、区画部材５０と共に区画部材５０の下端側に空気導入孔５３と液導入孔５４とを区画形成する。空気導入孔５３は混合室５２を収容空間Ｓ（容器本体１０の内部）に連通させており、収容空間Ｓ内の空気は空気導入孔５３を通して混合室５２に導入される。一方、液導入孔５４には容器本体１０の底部にまで延びるチューブ５５が接続され、当該チューブ５５を介して液導入孔５４は混合室５２を収容空間Ｓに連通させている。したがって、収容空間Ｓ内の内容液はチューブ５５と液導入孔５４とを介して混合室５２に導入される。
【００３９】
なお、孔形成部５１には空気導入孔５３からの内容液の侵入を抑制するための傘状体５６が一体に設けられている。
【００４０】
区画部材５０の内部には、混合室５２の上側（下流側）に位置して一対の発泡部材５７が装着されている。これらの発泡部材５７としては、例えばリングの端面にメッシュを固定した構成のものが用いられ、互いのメッシュを逆側に向けた姿勢で本体部の内側に嵌合固定されている。なお、発泡部材５７としてはリングとメッシュを備えた構造のものに限らず、内容液の種類等に応じて種々の構成のものを用いることができる。また、発泡部材５７の設置個数も内容液の種類等に応じて種々変更することができる。
【００４１】
区画部材５０の発泡部材５７の上方側における内部は混合室５２に連なる吐出流路５８となっており、この吐出流路５８を流通口２６ａに連通させるために区画部材５０には一対の吐出孔５９が設けられている。つまり、混合室５２は吐出流路５８と吐出孔５９とを介して流通口２６ａに連通し、さらに流通口２６ａと流出入孔３８とを介してノズル３６に連通している。なお、区画部材５０に設けられる吐出孔５９の個数や形状は種々変更することができる。
【００４２】
容器本体１０の収容空間Ｓとノズル３６との間には、吐出流路５８とは別に、装着キャップ２０の内周面と区画部材５０の外周面との間に区画形成される戻し流路６０が設けられている。つまり、流通口２６ａはこの戻し流路６０を介して容器本体１０の収容空間Ｓに連通している。
【００４３】
戻し流路６０には、逆止弁６１が設けられている。この逆止弁６１は区画部材５０の外周面に嵌合固定される円筒状の保持部６１ａと、この保持部６１ａの外周面から径方向外側に延びる環状且つ膜状のシール膜部６１ｂとを有している。
【００４４】
シール膜部６１ｂは、ノズルヘッド３０が開位置にあるときに、その外周縁において装着キャップ２０の下向き段差面（内面）２４ａに下方側から弾性的に当接する。つまり、逆止弁６１は、ノズルヘッド３０が開位置にあるときには逆止弁として機能して、容器本体１０の収容空間Ｓから戻し流路６０を通した流通口２６ａへの空気や内容液の流れを規制するとともに、流通口２６ａから戻し流路６０を通した容器本体１０の収容空間Ｓへの空気や内容液の流れを許容するように作動する。
【００４５】
一方、ノズルヘッド３０が閉位置とされると、逆止弁６１はノズルヘッド３０とともに装着キャップ２０に対して下方へ移動して、図４に示すように、シール膜部６１ｂの外周縁は下向き段差面２４ａから離れ、逆止弁６１は機能しない状態とされる。つまり、ノズルヘッド３０が閉位置とされると、容器本体１０の収容空間Ｓは戻し流路６０を通して流通口２６ａに連通された状態とされる。
【００４６】
次に、このような構成の泡噴出容器１の使用方法について説明する。
【００４７】
図１に示すように、ノズルヘッド３０を開位置とすることで、開閉蓋部３９が流通口２６ａの上方に離れて流通口２６ａが開放されるとともに逆止弁６１のシール膜部６１ｂの外周縁が装着キャップ２０の下向き段差面２４ａに当接して、泡噴出容器１は胴部１２の圧搾（スクイズ）による内容液の噴出が可能な使用可能状態とされる。なお、ノズルヘッド３０が開位置のときには、図２に示すように、ノズル３６は楕円断面の容器本体１０の胴部１２の短径に沿った方向に向けられる。
【００４８】
ノズルヘッド３０が開位置とされた状態で、容器本体１０の胴部１２を圧搾することでノズル３６から泡状の内容液を噴出させることができる。つまり、胴部１２が圧搾されると、容器本体１０の収容空間Ｓに収容された内容液がチューブ５５と液導入孔５４を介して混合室５２に導入されるとともに容器本体１０内の空気が空気導入孔５３を介して混合室５２に導入され、混合室５２の内部で内容液が空気と混合されて発泡し、泡状化される。また、泡状化された内容液は、発泡部材５７を通過することで、さらに発泡、整泡されながら吐出流路５８を通って吐出孔５９から流通口２６ａに吐出される。そして、流通口２６ａに吐出された泡状の内容液は流出入孔３８を通ってノズル３６に達し、ノズル３６の開口から外部に泡状に噴出される。
【００４９】
内容液の噴出後に胴部１２の圧搾が解除されると、胴部１２が元の形状に復元することで容器本体１０内に負圧が発生し、この負圧により逆止弁６１が開いてノズル３６の内部に残留した内容液がノズル３６から吸引される空気（外気）とともに戻し流路６０を介して容器本体１０の内部に引き込まれる。サックバック機能とも呼ばれるこのような機能により、噴出後にノズル３６の内部に残留した内容液を空気とともに容器本体１０内に向けて引き込んで、当該内容液がノズル３６の開口から外部へ垂れ落ちることを防止することができる。
【００５０】
一方、不使用時等においては、図４に示すように、ノズルヘッド３０を装着キャップ２０に対して９０度回動させて閉位置とすることにより、開閉蓋部３９によって流通口２６ａを閉塞してノズル３６と容器本体１０の収容空間Ｓとの連通を遮断し、この泡噴出容器１を使用不能状態とすることができる。なお、ノズルヘッド３０が閉位置のときには、ノズル３６は楕円断面の容器本体１０の胴部１２の長径に沿った方向に向けられる。
【００５１】
このように、この泡噴出容器１では、ノズルヘッド３０を開位置から閉位置にまで回動させる簡単な操作で、この泡噴出容器１を使用不能状態として、不使用時等において胴部１２が不意に圧搾される等しても、容器本体１０内の内容液がノズル３６を通して外部に漏れ出すことを確実に防止することができる。
【００５２】
ところで、上記のように、泡噴出容器１は、ノズルヘッド３０を閉位置とすることにより開閉蓋部３９によって流通口２６ａを閉塞可能な構成であるので、流通口２６ａが閉じられた状態で容器本体１０が気温の上昇等により温められると、容器本体１０内の内圧が上昇する場合がある。しかしながら、この泡噴出容器１では、以下のように当該内圧を外部に逃がすことができる。つまり、ノズルヘッド３０が開位置から閉位置に向けて回動されると、ノズルヘッド３０とともに逆止弁６１が装着キャップ２０に対して下方に移動し、そのシール膜部６１ｂの外周縁が装着キャップ２０の下向き段差面２４ａから離れて、容器本体１０の収容空間Ｓが戻し流路６０を通して流通口２６ａに連通される。これにより、容器本体１０内の内圧上昇状態において、使用のためにノズルヘッド３０が閉位置から開位置に向けて回動操作されたとしても、図５に示すように、ノズルヘッド３０が閉位置と開位置との間にあるときには、開閉蓋部３９が流通口２６ａの上方に離れて流通口２６ａが開放されるとともに逆止弁６１のシール膜部６１ｂの外周縁が装着キャップ２０の下向き段差面２４ａから離れた状態となって、容器本体１０内の内圧を戻し流路６０から外部に逃がすことができる。したがって、容器本体１０内の内圧上昇状態においてノズルヘッド３０を閉位置から開位置に向けて回動操作しても、容器本体１０内の内圧を戻し流路６０から外部に逃がすことで、収容空間Ｓに収容された内溶液が内圧によって押されて混合室５２、吐出流路５８、吐出孔５９および流通口２６ａを通してノズル３６に圧送され、ノズル３６から外部に漏れ出すことを防止することができる。
【００５３】
一方、この泡噴出容器１を再度使用状態にする際には、ノズルヘッド３０を閉位置から開位置に回動させるだけの簡単な操作で、この泡噴出容器１を使用可能状態に切り替えることができる。このとき、ノズルヘッド３０が閉位置から開位置にまで達すると、図１に示すように、逆止弁６１のシール膜部６１ｂの外周縁が装着キャップ２０の下向き段差面２４ａに当接し、容器本体１０内の圧力の戻し流路６０から外部への逃げ出しが逆止弁６１により規制される。したがって、胴部１２の圧搾により収容空間Ｓに収容された内容液を混合室５２、吐出流路５８、吐出孔５９および流通口２６ａを通してノズル３６に圧送して、ノズル３６から泡状に外部に噴出させることができる。
【００５４】
本発明は前記実施の形態に限定されるものではなく、その要旨を逸脱しない範囲で種々変更可能であることはいうまでもない。
【００５５】
例えば、前記実施形態では、逆止弁６１のシール膜部６１ｂの外周縁を装着キャップ２０の下向き段差面２４ａに当接させるようにしているが、戻し流路６０を閉塞可能な部位であれば、装着キャップ２０の他の内面にシール膜部６１ｂの外周縁を当接させるようにしてもよい。
【００５６】
また、区画部材５０に設けられる空気導入孔５３や液導入孔５４の構成、逆止弁６１の構成等は、その機能を有するものであれば、種々の構成のものとするができる。
【符号の説明】
【００５７】
１    泡噴出容器
１０    容器本体
１１    口部
１１ａ  雄ねじ部
１１ｂ  小突起
１１ｃ  大突起
１２    胴部
２０    装着キャップ
２１    外周壁
２１ａ  雌ねじ部
２１ｂ  回り止めリブ
２２    フランジ部
２３    シール筒部
２４    段差部
２４ａ  下向き段差面
２５    ストッパ用筒部
２６    流通筒部
２６ａ  流通口
２７    ノズル装着筒部
２８    二条ねじ部
２８ａ  上側ねじ山
２８ｂ  下側ねじ山
２９    ストッパ対
２９ａ  ストッパ片
２９ｂ  湾曲面
３０    ノズルヘッド
３１    カバー部
３２    頂壁
３３    突起対
３３ａ  係合突起
３３ｂ  係合突起
３４    凸片用筒部
３５    凸片
３６    ノズル
３７    隔壁
３８    流出入孔
３９    開閉蓋部
４０    シール筒部
４１    接続筒部
５０    区画部材
５１    孔形成部
５２    混合室
５３    空気導入孔
５４    液導入孔
５５    チューブ
５６    傘状体
５７    発泡部材
５８    吐出流路
５９    吐出孔
６０    戻し流路
６１    逆止弁
６１ａ  保持部
６１ｂ  シール膜部
Ｓ    収容空間
Ｒ    移動範囲
【図１】
2015209263.tif 000003
【図２】
2015209263.tif 000004
【図３】
2015209263.tif 000005
【図４】
2015209263.tif 000006
【図５】
2015209263.tif 000007